(57)【要約】  【課題】リフローはんだ付け法を用いて基板に実装する際に、スイッチ装置内部にフラックスが侵入するようなことのない構造を得る。  【解決手段】  上面がカバー１２で覆われるベース１１に、底面と側面がそれぞれ閉じられた収納部１６を形成し、該収納部１６内にスイッチ構成エレメントを配置して成る構造にした。このような構造にすると、複合操作型スイッチ装置がリフローはんだ付けされるとき、ベース１１の底面下側にリフローはんだが触れても、ベース１１の底面側は閉じられているので、該底面１１側からは収納部１６内にフラックスが侵入することがない。これにより、リフローはんだ付け法を用いての実装が可能な複合操作型スイッチ装置が得られる。【選択図】図３
2005129477.tif 000002
【特許請求の範囲】
【請求項１】
ダイヤル部材の回転操作により作動する第１のスイッチ機能及び押圧操作によるスライド移動により作動する第２のスイッチ機能を備えた複合操作型スイッチ装置に於いて、
上面が開口され底面及び側面が各々壁で閉じられた収納部を有し、該収納部の底面壁には前記ダイヤル部材のスライド方向に沿って形成された固定接点エレメント及び前記第２のスイッチ機能用のスイッチエレメントが設けられている樹脂製のベースと、
該ベースの上面開口を閉じて取り付けられ、略中央には前記ダイヤル部材の前記回転動作と前記スライド動作を許容するための貫通支持孔を有するカバーと、
一端側が前記カバーの外側に配置された前記ダイヤル部材と前記貫通支持孔を通して連結されていると共に、他端側が前記ベースの収納部内に配置され、該他端側に前記第１のスイッチ機能用のスイッチエレメントが設けられている回転板と、
前記ベースの前記固定接点エレメント及び前記第２のスイッチ機能用のスイッチエレメントとそれぞれ摺接する複数の第１の摺動エレメント並びに前記回転板の前記第１のスイッチ用のスイッチエレメントと摺接する第２の摺動エレメントとを有して、前記回転板の他端側と連結されて該回転板と共に前記ダイヤル部材のスライド方向にスライド可能にして前記収納部内に設けられたスライド部材、
とを備えたことを特徴とする複合操作型スイッチ装置。
【請求項２】
上記回転板の上記第１のスイッチ機能用のスイッチエレメントは導電パターンとして形成され、上記スライド部材の上記第２の摺動エレメントは一端側が該スライド部材に固定され他端側が前記回転板の前記導電パターンに常時押圧された片持ち式の弾性を有する摺動子片として形成されていることを特徴とする請求項１記載の複合操作型スイッチ装置。
【請求項３】
上記ベースの上記固定接点エレメントと上記第２のスイッチ機能用のスイッチエレメントは上記収納部の上記底面壁に導電パターンとして形成され、上記スライド部材の第１の摺動エレメントは一端側が該スライド部材に固定され他端側が前記ベースの前記導電パターンに常時押圧された片持ち式の弾性を有する摺動子片として形成されていることを特徴とする請求項１又は２記載の複合操作型スイッチ装置。
【請求項４】
上記収納部内に、上記スライド部材を常時一方向に付勢しておく戻しバネを、該戻しバネの自由端の一方は上記収納部の側面と当接し、他方の自由端は上記スライダ部材に設けた連結部に当接することを特徴とする請求項１，２又は３記載の複合操作型スイッチ装置。
【請求項５】
上記スライド部材のスライド方向後端となる位置に隣接して設けられている上記収納部の側面壁の外面に、該外面を上記ダイヤル部材の中心側に近づけさせるための切り欠き部を設けたことを特徴とする請求項１，２，３又は４記載の複合操作型スイッチ装置。
【請求項６】
上記回転板には、外周に沿って節度用凹所が設けられていると共に、上記スライド部材には前記回転板の外周に圧接された節度用バネが配置され、該節度用バネには前記回転板が回転されたときに前記節度用凹所と係脱することによりクリック感を生起する突部を設け、該突部は該スライダ部材に設けられた中央突起に係合することを特徴とする請求項１，２，３，４又は５記載の複合操作型スイッチ装置。
【請求項７】
上記節度用バネの上記突部の外形形状は、上記回転板の上記節度用凹所の内側形状に略等しく略密着係合可能に構成してなる請求項６記載の複合操作型スイッチ装置。
【請求項８】
上記ベースの相対抗する両側面に係止爪を設けていると共に、上記カバーの左右両側縁に、該カバー取付時に前記ベースを挟むようにして前記ベースの前記両側面に沿って摺動
し、前記係止爪に対応する位置で該係止爪と相互に係合して抜け止めされる係合孔をそれぞれ有する係止片を設けたことを特徴とする請求項１，２，３，４，５，６又は７記載の複合操作型スイッチ装置。
【請求項９】
上記回転板は樹脂材で形成されて、該回転板の一端側に突出ピンを設けていると共に、上記ダイヤル部材の側面には前記突出ピンが貫通される取付孔を有し、前記突出ピンを前記ダイヤル部材の一側面側から前記取付孔に貫通させ、該ダイヤル部材の他側面側に貫通された前記突出ピンをカシメ加工して抜け止めし、前記回転板と前記ダイヤル部材と前記カバーとを一体化して成ることを特徴とする請求項１，２，３，４，５，６，７又は８記載の複合操作型スイッチ装置。
【請求項１０】
上記回転板の上記ダイヤル部材と対向する面と反対側の面には、軸部が外側に向かって略直角に突出して設けられているとともに、上記スライド部材には前記回転板の前記軸部が回転可能に係合された軸受穴が設けられていることを特徴とする請求項１，２，３，４，５，６，７，８又は９記載の複合操作型スイッチ装置。
【発明の詳細な説明】
【技術分野】
【０００１】
本発明は、複合操作型スイッチ装置に関するものであり、特に、ユーザーにより操作される１つのダイヤル部材の回転操作と押圧操作との異なる複数の動作に応じて、それぞれ別個のスイッチが作動する複合操作型スイッチ装置に関するものである。
【背景技術】
【０００２】
一般に、ビデオカメラやデジタルカメラ，携帯電話機等の電子機器に於ける入力部品として使用される複合操作型スイッチ装置は、所定の処理を行うために複数のスイッチを円滑に連続して作動させることや小型化が要求される。そこで、これら電子機器に於ける入力部品は、ユーザーが１つの操作部材を操作することのみで、複数のスイッチを個別に作動させることができるようになっている(例えば、特許文献１参照)。
【０００３】
特許文献１の複合操作型スイッチ装置によれば、該複合操作型スイッチ装置は、回転及びスライド移動するダイヤル部材と、固定接点を有するベースと、一端側に前記ダイヤル部材が固定され他端側が該ベースを上下に貫通し、前記ダイヤル部材のスライド方向にスライド動作可能で、且つ、前記ベースに回転可能に取り付けられている支軸と、該支軸と一体回転可能に取り付けられた回転板及び前記支軸と共に前記ベース上をスライド移動するスライド部材とを有している。そして、該複合操作型スイッチ装置は、ダイヤル部材が支軸と共に回転されると回転板とスライド部材との間のスイッチ機能が動作し、ダイヤル部材をスライドさせると支軸及びスライド部材が一体にスライド方向にスライド動作されて、該スライド部材とベースとの間のスイッチ機能が動作するように構成されている。
【０００４】
このように構成された複合操作型スイッチ装置は、ベースを回路基板上に配置させて、該回路基板にリフローはんだ付け法を用いて実装することも少なくない。
【特許文献１】特開平９−６３４２０号公報
【発明の開示】
【発明が解決しようとする課題】
【０００５】
上述したように、従来の複合操作型スイッチ装置では、ダイヤル部材と共に回転及びスライド動作をする支軸は、ベースに設けられている孔を上下に貫通して、該ベースに取り付けられている。このため、該複合操作型スイッチ装置をリフローはんだ付け法を用いて基板に実装させる場合に、ベースの孔と支軸との隙間から、内部にフラックスが侵入することがあるという問題があった。
【０００６】
そこで、リフローはんだ付け法を用いて基板に実装するようにしても、スイッチ装置の内部にフラックスが侵入するようなことのない構造を得るために解決すべき技術課題が生じてくるのであり、本発明はこの課題を解決することを目的とする。
【課題を解決するための手段】
【０００７】
本発明は上記目的を達成するために提案されたものであり、請求項１記載の発明は、ダイヤル部材の回転操作により作動する第１のスイッチ機能及び押圧操作によるスライド移動により作動する第２のスイッチ機能を備えた複合操作型スイッチ装置に於いて、上面が開口され底面及び側面が各々壁で閉じられた収納部を有し、該収納部の底面壁には前記ダイヤル部材のスライド方向に沿って形成された固定接点エレメント及び前記第２のスイッチ機能用のスイッチエレメントが設けられている樹脂製のベースと、該ベースの上面開口を閉じて取り付けられ、略中央には前記ダイヤル部材の前記回転動作と前記スライド動作を許容するための貫通支持孔を有するカバーと、一端側が前記カバーの外側に配置された
前記ダイヤル部材と前記貫通支持孔を通して連結されていると共に、他端側が前記ベースの収納部内に配置され、該他端側に前記第１のスイッチ機能用のスイッチエレメントが設けられている回転板と、前記ベースの前記固定接点エレメント及び前記第２のスイッチ機能用のスイッチエレメントとそれぞれ摺接する複数の第１の摺動エレメント並びに前記回転板の前記第１のスイッチ機能用のスイッチエレメントと摺接する第２の摺動エレメントとを有して、前記回転板の他端側と連結されて該回転板と共に前記ダイヤル部材のスライド方向にスライド可能にして前記収納部内に設けられたスライド部材とを備えた複合操作型スイッチ装置を提供する。
【０００８】
この構成によれば、ダイヤル部材の回転動作とスライド動作を許容するための貫通支持孔を有するカバーで上面が覆われるベースに、底面と側面が各々壁で閉じられた収納部を形成し、該収納部内にスイッチ構成エレメントを配置している。従って、収納部の底面及び側面は壁で閉じられていて、該底面及び側面にはフラックスの侵入を許す隙間は設けられていないので、該複合操作型スイッチ装置をリフローはんだ付けする際に、ベースの下面にリフローはんだが触れても、該リフローはんだのフラックスが収納部内に侵入することはない。
【０００９】
請求項２記載の発明は、上記回転板の上記第１のスイッチ機能用のスイッチエレメントは導電パターンとして形成され、上記スライド部材の上記第２の摺動エレメントは一端側が該スライド部材に固定され他端側が前記回転板の前記導電パターンに常時押圧された片持ち式の弾性を有する摺動子片として形成されて成る請求項１記載の複合操作型スイッチ装置を提供する。
【００１０】
この構成によれば、第１のスイッチ機能用の導電パターン側に片持ち式の弾性を有する摺動子片が常時押圧され、第１のスイッチ機能用導電パターンと摺動子片との間は、該押圧を保持した状態で摺動するので、第１のスイッチにおける導電パターンと摺動子片との間の接触が常に良好に保たれる。
【００１１】
請求項３記載の発明は、上記ベースの上記固定接点エレメントと上記第２のスイッチ機能用のスイッチエレメントは上記収納部の上記底面壁に導電パターンとして形成され、上記スライド部材の第１の摺動エレメントは一端側が該スライド部材に固定され他端側が前記ベースの前記導電パターンに常時押圧された片持ち式の弾性を有する摺動子片として形成されている請求項１又は２記載の複合操作型スイッチ装置を提供する。
【００１２】
この構成によれば、第２のスイッチ機能用の導電パターン側に片持ち式の弾性を有する摺動子片が常時押圧されていて、該押圧を保持した状態で摺動するので、第２のスイッチ機能における導電パターン側と摺動子片との間の接触が常に良好に保たれる。
【００１３】
請求項４記載の発明は、上記収納部内に、上記スライド部材を常時一方向に付勢しておく戻しバネを配置し、該戻しバネの自由端の一方は上記収納部の側面壁と当接し、他方の自由端は上記スライダ部材に設けた連結部に当接した請求項１，２又は３記載の複合操作型スイッチ装置を提供する。
【００１４】
この構成によれば、スライド部材は戻しバネのバネ力により常時一方向に付勢されている。従って、ユーザーによるダイヤル部材に対するスライド方向の外力が解かれると、戻しバネのバネ力でダイヤル部材とスライド部材が自動的に予め予定されている初期位置に復帰することになる。また、スライダ部材に設けた連結部によって、組立完了まで戻しバネがベース部材から飛び出すことを防止することができる。
【００１５】
請求項５記載の発明は、上記スライド部材のスライド方向後端となる位置に隣接して設
けられている上記収納部の側面壁の外面に、該外面を上記ダイヤル部材の中心側に近づけさせるための切り欠き部を設けた請求項１，２，３又は４記載の複合操作型スイッチ装置を提供する。
【００１６】
この構成によれば、側面壁の外面がダイヤル部材の中心側に近づいている分だけ、ダイヤル部材の外周がベースの側面壁の外面よりも外側に大きく突出される。従って、側面壁の外面を基準にしてこの複合操作型スイッチ装置を機器の内部に取り付ける構造にした場合では、側面壁の外面が切り欠き部で切り欠かれている分だけ複合操作型スイッチ装置の全体を機器の外側に寄せることができる。こうして、複合操作型スイッチ装置の全体が機器の外側に寄せられると、ダイヤル部材が機器から外側に大きく突出され、該ダイヤル部材を指等で操作のし易い構造、若しくはダイヤル部材の外径を小さくして複合操作型スイッチ装置を小型化することが可能になる。
【００１７】
請求項６記載の発明は、上記回転板には、外周に沿って節度用凹所が設けられていると共に、上記スライド部材には前記回転板の外周に圧接された節度用バネが配置され、該節度用バネには前記回転板が回転されたときに前記節度用凹所と係脱することによりクリック感を生起する突部を設け、該突部は該スライダ部材に設けられた中央突起に係合する請求項１，２，３，４又は５記載の複合操作型スイッチ装置を提供する。
【００１８】
この構成によれば、節度用バネの突部が回転板の節度用凹所と係脱することによりクリック感を生起する。従って、ダイヤル部材の回動量を該クリック感で容易に認識することができる。また、節度用バネの突部が該スライダ部材に設けられた中央突起に係合されることによって、回転に伴う回転部材の左右のぶれを防止し、ダイヤル部材の停止位置ずれを防止することができる。
【００１９】
請求項７記載の発明は、上記節度用バネの上記突部の外形形状は、上記回転板の上記節度用凹所の内側形状に略等しく略密着係合可能に構成してなる請求項６記載の複合操作型スイッチ装置を提供する。
【００２０】
この構成によれば、回転板の節度用凹所内に節度用バネの突部が係合された位置で回転板を停止させておくと、その停止された位置に於いて節度用バネからの押圧力を受けて左右のぶれを防止した状態で回転板が回動することなく保持される。
【００２１】
請求項８記載の発明は、上記ベースの相対抗する両側面に係止爪部を設けていると共に、上記カバーの左右両側縁に、該カバー取付時に前記ベースの前記両側面に沿って摺動し、前記ベースの前記係止爪に対応する位置で該係止爪と相互に係合して抜け止めされる係合孔をそれぞれ有する係止片を設けた請求項１，２，３，４，５，６又は７記載の複合操作型スイッチ装置を提供する。
【００２２】
この構成によれば、カバーにおける係止片をベースの両側面に沿って摺動させて行くと、係止片の係合孔がベースの係止爪と対応した位置で、係合孔と係止爪が相互に係合され、該係合によりカバーをベースに抜け止めした状態にして簡単に取り付けることができる。
【００２３】
請求項９記載の発明は、上記回転板は樹脂材で形成されて、該回転板の一端側に突出ピンを設けていると共に、上記ダイヤル部材の側面には前記突出ピンが貫通される取付孔を有し、前記突出ピンを前記ダイヤル部材の一側面側から前記取付孔に貫通させ、該ダイヤル部材の他側面側に貫通された前記突出ピンをカシメ加工して抜け止めし、前記回転板と前記ダイヤル部材と前記カバーとを一体化して成る請求項１，２，３，４，５，６，７又は８記載の複合操作型スイッチ装置を提供する。
【００２４】
この構成によれば、カバーの内側から貫通支持孔を通してカバーの外側に突出ピンを突き出させると共に、該カバーの外側に突き出したピンをダイヤル部材の取付孔に挿入させ、該ダイヤル部材の取付孔を貫通したピンをダイヤル部材の外側でカシメ加工することによって、カバーを間に挟んでダイヤル部材と回転板とを回転並びにスライド動作可能に一体化することができる。
【００２５】
請求項１０記載の発明は、上記回転板の上記ダイヤル部材と対向する面と反対側の面には、軸部が外側に向かって略直角に突出して設けられているとともに、前記スライド部材には前記回転板の軸部が回転可能に係合された軸受穴が設けられている請求項１，２，３，４，５，６，７，８又は９記載の複合操作型スイッチ装置を提供する。
【００２６】
この構成によれば、回転板の一端側はカバーの貫通支持孔で支持され、他端側はスライド部材の軸受穴に係合されることによって支持される。従って、回転板の両側がカバーの貫通支持孔とスライド部材の軸受穴によりそれぞれ安定して支持されることになる。
【発明の効果】
【００２７】
本発明の請求項１記載の複合操作型スイッチ装置は、ベースの底面及び側面にはフラックス等の侵入を許す隙間はないので、リフローはんだ付け法を用いたはんだ実装を行っても、リフローはんだのフラックスが内部に侵入するということはない。従って、リフローはんだ付けに適した複合操作型スイッチ装置が得られるという利点がある。
【００２８】
本発明の請求項２記載の複合操作型スイッチ装置は、請求項１に記載の発明の効果に加え、第１のスイッチ用の片持ち式の摺動子片が回転板の導電パターンに常時押圧されていて、該押圧を保持した状態で回転板がダイヤル部材と共に回転するので、第１のスイッチにおける導電パターンと摺動子片との間の接触が常に良好な状態に保たれ、動作の信頼性を向上させることができると言う利点がある。
【００２９】
本発明の請求項３記載の複合操作型スイッチ装置は、請求項１又は２記載の発明の効果に加え、第２のスイッチ用の片持ち式の摺動子片がベースの導電パターン側に常時押圧されていて、該押圧を保持した状態でスライド部材がダイヤル部材と共にスライドするので、第２のスイッチにおける導電パターンと摺動子片との間の接触が常に良好な状態に保たれ、動作の信頼性を向上させることができるという利点がある。
【００３０】
本発明の請求項４記載の複合操作型スイッチ装置は、請求項１，２又は３記載の発明の効果に加え、ユーザーによるダイヤル部材に対するスライド方向の外力を解くと、戻しバネのバネ力でダイヤル部材とスライド部材が常に初期位置に自動復帰するようにしているので、操作性の向上が期待でき、また、スライダ部材に設けた当接部によって、組立完了まで戻しバネがベース部材から飛び出すことを防止することができる等の利点がある。
【００３１】
本発明の請求項５記載の複合操作型スイッチ装置は、機器への取付時に装置全体を機器の外側に寄せることができるので、請求項１，２，３又は４記載の発明の効果に加え、ダイヤル部材が機器から外側に大きく突出されて、該ダイヤル部材を指等で操作のし易い構造、若しくはダイヤル部材の外径を小さくして複合操作型スイッチ装置全体を小型化し、デザインの向上を図ることが可能になる等の利点がある。
【００３２】
本発明の請求項６記載の複合操作型スイッチ装置は、請求項１，２，３，４又は５記載の発明の効果に加え、節度用バネの突部が回転板の節度用凹所と係脱することによりクリック感を生起するようになっているので、ユーザーはダイヤル部材の回動量を該クリック感で容易に認識することができ、操作性の向上が期待でき、また、節度用バネの突部が該
スライダ部材に設けられた中央突起に係合されることによって、回転に伴う回転部材の左右のぶれを防止し、ダイヤル部材の停止位置ずれを防止することができる等の利点がある。
【００３３】
本発明の請求項７記載の複合操作型スイッチ装置は、請求項６記載の発明の効果に加え、節度用バネの突部の外形形状を回転板の節度用凹所の内側形状に略等しく形成し、略密着係合可能に構成しているので、回転板の節度用凹所内に節度用バネの突部が係合された節度感が得られた位置で回転板を停止させておくと、該停止させた位置に於いて回転方向のガタツキを無くした状態で回転板とダイヤル部材を保持しておくことができるという利点がある。
【００３４】
本発明の請求項８記載の複合操作型スイッチ装置は、請求項１，２，３，４，５，６又は７記載の発明の効果に加え、カバー側の係止片をベースの両側面に沿って摺動させて行くと、該係止片の係合孔とベースの係止爪が相互に係合され、該係合によりカバーをベースに抜け止めした状態にして簡単に取り付けることができる。従って、組立作業が簡略化できるという利点がある。
【００３５】
本発明の請求項９記載の複合操作型スイッチ装置は、請求項１，２，３，４，５，６，７又は８記載の発明の効果に加え、カバーの外側に突き出したピンをダイヤル部材の取付孔に挿入させ、該ダイヤル部材の取付孔を貫通したピンをダイヤル部材の外側でカシメることによって、カバーを間に挟んでダイヤル部材と回転板とを回転並びにスライド移動可能に一体に係合させることができる。従って、組立作業が更に簡略化できるという利点がある。
【００３６】
本発明の請求項１０記載の複合操作型スイッチ装置は、請求項１，２，３，４，５，６，７，８又は９記載の発明の効果に加え回転板の両側がカバーの貫通支持孔とスライド部材の軸受穴で支持されるので、回転板及び該回転板と結合されたダイヤル部材が安定して保持されるという利点がある。
【発明を実施するための最良の形態】
【００３７】
リフローはんだ付け法を用いて基板に実装する際にも、スイッチ装置内部にフラックスが侵入することのない構造を得るという目的を達成するために、上面がカバーで覆われるベースに、底面と側面がそれぞれ閉じられた収納部を形成し、該収納部内にスイッチ構成エレメントを配置して成る構造にした。このような構造にすると、複合操作型スイッチ装置がリフローはんだ付けされるとき、ベースの底面下側にリフローはんだが触れても、ベースの底面側は閉じられているので、該底面側からは収納部内にフラックスが侵入することがない。これにより、リフローはんだ付け法を用いての実装が可能な複合操作型スイッチ装置が得られる。
【実施例１】
【００３８】
図１乃至図８は本発明に係る複合操作型スイッチ装置の一実施例を示す。図１はその複合操作型スイッチ装置の縦断面図、図２は該複合操作型スイッチ装置のダイヤル部材及びカバーを取り外して内部構造を示す平面図、図３は該複合操作型スイッチ装置の要部分解斜視図、図４は該複合操作型スイッチ装置の正面図、図５は該複合操作型スイッチ装置の側面図、図６は該複合操作型スイッチ装置の背面図、図７は該複合操作型スイッチ装置の動作説明図、図８は節度用バネの機能説明図である。
【００３９】
図１乃至図８に於いて複合操作型スイッチ装置１０は、ベース１１と、カバー１２と、スライド部材１３と、回転板１４と、ダイヤル部材１５と、から主として構成されている。
【００４０】
そして、該複合型スイッチ装置１０は、ケース２の外側に突出しているダイヤル部材１５に指を添えて該ダイヤル部材１５を回転操作させると、回転板１４とスライド部材１３とによって構成された後述する第１の回転スイッチ機能が動作する。又、同じく指でダイヤル部材１５をケース２の内側に押すと、該ダイヤル部材１５とスライド部材１３が一体にスライド方向前方（図２，図４及び図７中の矢印Ｄ方向）に押されると共に、回転板１４及びダイヤル部材１５がスライド部材１３と一体にスライド方向前方にスライド動作され、該スライド部材１３とベース１１とによって構成された後述する第２のスライドスイッチ機能が動作するというように、１つのダイヤル部材１５の回転操作と押圧操作の異なる動作に応じて、それぞれ別個の回転スイッチ機能、並びにスライドスイッチ機能が作動するように構成されている。以下、細部詳細構造を説明する。
【００４１】
前記ベース１１は、樹脂材で形成されており、底面壁１１ａと、該底面壁１１ａから上方に向かって略直角に突設されている側面壁１１ｂ，１１ｃとを一体に有し、内部に上面が開口された収納部１６を設けた構造に成っている。尚、側面壁１１ｂは概略四角形をした枠状の壁として作られ、且つ側面壁１１ｃと隣接している側に於ける枠の一部が切り欠かれた状態になっている。一方、側面壁１１ｃは半月形をした枠状の壁として作られている。そして、側面壁１１ｂと側面壁１１ｃは、側面壁１１ｂの切り欠かれた両側端部と側面壁１１ｃの開放されている側の両側端部とそれぞれ互いに接続させている連結部１１ｄで一つに繋がれ、底面壁１１ａ上に連続している周回壁として作られている。これにより収納部１６は、上面を除いて底面及び側面が、底面壁１１ａと側面壁１１ｂとで完全に閉じられ、外部からのフラックス等の侵入を阻止できる構造になっている。
【００４２】
更に、側面壁１１ｃの内径は、回転板１４の外径よりも僅かに大きく形成されている。又、該側面壁１１ｃの外面の頂点、即ち、スライド部材１３がスライド方向後端側に移動された時に、該スライド部材１３が衝合される部分となる側面壁１１ｃの一部は、スライド部材１３の押し方向Ｐ(スライド部材１３のスライド方向)に対して直交する方向に切り欠かれて、切り欠き部１１ｅとして形成されている。この切り欠き部１１ｅは、側面壁１１ｃの頂点の高さを小さくし、その外面１１ｆをダイヤル部材１５の中心側に近づけた状態にしている。
【００４３】
又、ベース１１の側面壁１１ｂの外面と側面壁１１ｃの外面には、側面壁１１ｂから外側へ略直角に突出している略長方形形状をしている係止爪１７がそれぞれ２個づつ、合計４個設けられている。各係止爪１７，１７…の上面側には、上側へ進むに従い側面壁１１ｂ側へ徐々に下がる傾斜面１７ａが形成されている。
【００４４】
更に、ベース１１の底面壁１１ａの内面で、且つ、スライド部材１３のスライド方向の前方端となる位置には、スライド部材１３のスライド方向(図２，図４及び図７中に示す矢印Ｄ−Ｕ方向)に沿って細長く延ばされた状態にして、固定接点エレメント１８ａ，１８ｂ，１８ｃとスイッチエレメント１９ａを設けて成る導電パターン２４(図３参照)が形成されている。スイッチエレメント１９ａは、ベース１１とスライド部材１３との間に設けられるスライド操作用の第２のスイッチ機能を、後述する第２の摺動子片３３ａと共に形成するエレメントである。又、各固定接点エレメント１８ａ，１８ｂ，１８ｃとスイッチエレメント１９ａには、ベース１１の成形時にインサートされて、該ベース１１と一体化されている外部端子２０ａ，２０ｂ，２０ｃ，２０ｄが接続され、各固定接点エレメント１８ａ，１８ｂ，１８ｃと各スイッチエレメント１９ａは該外部端子２０ａ，２０ｂ，２０ｃ，２０ｄを介して外部と電気接続が図れるように成っている。尚、固定接点エレメント１８ａ，１８ｂ，１８ｃと該スイッチエレメント１９ａは、それぞれ対応している外部端子２０ａ，２０ｂ，２０ｃ，２０ｄと予め一体に作られ、これがベース１１の成形時にインサートされて、該ベース１１と一体化することも可能である。
【００４５】
又、更にベース１１の内側底面(底面壁１１ａ)には、スライド方向の前方端で、その片側の位置に、該底面壁１１ａから上方に向かって突設された状態にして戻しバネ取付用突起部３７が一体に形成されている。該戻しバネ取付用突起部３７には、戻しバネ２１が取り付けられる。
【００４６】
該戻しバネ２１は、細長い棒状の鋼材の中間にリング状部２１ａを設けると共に、両自由端部２１ｂ，２１ｃをそれぞれ外側に拡開させて同方向に延ばして成るトーションバネとして作られている。該戻しバネ２１は、リング状部２１ａに戻しバネ取付用突起部３７を挿入係合させると共に、両自由端部２１ｂ，２１ｃを互いにバネ圧縮させて、該一自由端部２１ｂ側を側面壁１１ｂの内面に当接させると共に、他自由端部２１ｃ側をスライド部材１３に設けられた連結部１３ｂに係合し、該スライド部材１３に常時一方向(図２中の矢印Ｕ方向)の力を付与させた状態にして、ベース１１内に組み込まれる。尚、該戻しバネ２１の付勢力を受けたスライド部材１３は、その矢印Ｕ方向、すなわちスライド方向の後方でベース１１の側面壁１１ｃに於ける切り欠き部１１ｅの内面に衝合されて位置決めされる。又、この衝合されて位置決めされた位置は、スライド部材１３の基準位置(スライド方向後端)となる。
【００４７】
前記カバー１２は、金属薄板材、例えば銅合金をプレス成形して作られ、表面には錫メッキを施してある。該カバー１２は、ベース１１の上面を覆うことができる大きさをした本体部１２ａを備える。又、ベース１１の各係止爪１７，１７…と対応した位置には、各々係合孔２２を有する係止片１２ｂ，１２ｂ，…が、本体部１２ａから下側に向かって略直角に折り曲げられた状態にして形成されている。尚、該係止片１２ｂ，１２ｂ，…は、弾性変形可能である。
【００４８】
又、カバー１２の本体部１２ａには、ダイヤル部材１５が取り付けられる部分に対応して、貫通支持孔２３が設けられている。該貫通支持孔２３の周縁は、該周縁全体が本体部１２ａから上方に向かって僅かに突出する状態にして折り曲げられ、該折り曲げ部分により縁取り部２３ａが貫通支持孔２３の全周に亘って設けられている。尚、貫通支持孔２３の孔形状は真円形ではなく、スライド部材１３のスライド方向(図２，図４及び図７中の矢印Ｄ−Ｕ方向)に沿う内径の方がα分だけ僅かに大きく形成されている。そのα分は、スライド部材１３のスライド量(図７中に示すスライド量α)に略等しい。
【００４９】
前記回転板１４は、樹脂材で円板状に形成され、図８に示すように下面側には中央部に軸部２６が下側に向かって形成されていると共に、該軸部２６の周囲には第１の回転スイッチ機能を後述する摺動子片３４ａ〜３４ｄと共に構成するスイッチエレメント（図示せず）を有する導電パターンと、回転板１４の外周に沿って周方向に繰り返し連続して設けられている節度用凹所２５，２５，２５…が形成されている。一方、回転板１４の上面側には、中央部に円形をした軸部２８が設けられている。該軸部２８の外径の大きさはカバー１２の貫通支持孔２３の最小内径の大きさに略等しく、該軸部２８はカバー１２の下側から貫通支持孔２３内に挿入させることができる状態になっている。更に、軸部２８の端面には３つの突出ピン２９，２９，２９が上方に向かって一体に形成されている。
【００５０】
前記ダイヤル部材１５は、樹脂材で比較的厚みのある円板状に形成されており、周面にはユーザーの指を当てて回転をし易くするための歯１５ａが略等間隔で複数設けられている。又、上下面の中央部には凹所３０ａ，３０ｂが設けられ、該凹所３０ａ，３０ｂが設けられた部分は肉薄の状態を成し、該凹所３０ａ，３０ｂ内に３つの取付孔３１，３１，３１が形成されている。尚、凹所３０ａ，３０ｂの内径の大きさは、カバー１２の貫通支持孔２３の最大外径の大きさよりも十分大きく、凹所３０ａ内に縁取り部２３ａを収納した状態で、ダイヤル部材１５が少なくともスライド部材１３のスライド量α分だけ自由に
動ける状態に設定されている。又、３つの取付孔３１，３１，３１が形成されている位置は、回転板１４の軸部２８に形成されている３つの突出ピン２９，２９，２９に対応しており、該突出ピン２９，２９，２９の長さは凹所３０ａ，３０ｂの部分に於ける肉厚よりも十分大きく形成されている。
【００５１】
前記スライド部材１３は、樹脂材で略円環状の環状部１３ａと該環状部１３ａを横切る連結部１３ｂとを一体に有して形成され、ベース１１の収納部１６内に、図２，図４及び図７中の矢印Ｄ−Ｕ方向にスライド可能にして配置されている。該連結部１３ｂには、中央に回転板１４の軸部２６を回転可能に受け入れるための軸受孔３６が設けられている。又、連結部１３ｂからスライド方向の前方(図２中の矢印Ｄ方向)に向かって下向きの、片持ち式の弾性を有する金属薄板材で形成されている第１の摺動子片３２ａ，３２ｂ，３２ｃと第２の摺動子片３３ａが突出し、連結部１３ａからスライド方向の後方(図２，図４及び図７中の矢印Ｕ方向)に向かって上向きで、且つ、片持ち式の弾性を有する金属薄板材で形成されている摺動子片３４ａ，３４ｂ，３４ｃ，３４ｄが突出している。
【００５２】
更に、スライド部材１３の連結部１３ｂには、ダイヤル部材１５の回転操作時に回転板１４にクリック感を付与する、例えば金属バネ板で成る節度用バネ３５が、該連結部１３ｂを左右に横切る状態にして、その両端部をスライド部材１３に固定して取り付けられている。図８は、該節度用バネ３５と回転板１４の構成の一部を拡大し模式的に示した図である。図８から明かなように、節度用バネ３５の中央部分には、上方に向かって略コの字状に屈曲された突部３５ａが設けられている。該突部３５ａは、節度用バネ３５のバネ力Ｆで常に回転板１４の節度用凹所２５，２５，２５…が形成されている周面に対して押し付けられていて、回転板１４が回転する時に、節度用凹所２５，２５，…に対応すると該節度用凹所２５内に落ち込み、更に回転板１４の回転が続くと再び抜け出すというように、節度用凹所２５，２５，…に対して係脱可能に構成されており、その係脱でクリック感が得られるようになっている。
【００５３】
又、節度用バネ３５の突部３５ａの外形形状は、回転板１４の節度用凹所２５，２５，…の内側形状に略等しく作られている。そして、突部３５ａが節度用凹所２５，２５，…に係合された時には、突部３５ａと節度用凹所２５，２５，…との間に遊びを持たずに略密着した状態で係合するように構成されている。従って、突部３５ａが節度用凹所２５，２５，…の何れかと係合されている時には、外部から大きな力が与えられない限り、左右にガタツクことなく、その位置に静止した状態で保持され、節度用バネによる保持力よりも大きな回転力が外部から付与されたときには、節度用バネ３５が弾性変形されて突部３５ａが外側に逃がされ、該回転板１４の回転を許容する構造になっている。又、、節度用バネ３５の突部３５ａはスライダ部材１３に設けられた中央突起５０に係合され、回転に伴う回転部材１４の左右のぶれを防止し、ダイヤル部材１５の停止位置ずれを防止することができる。
【００５４】
次に、上記説明した構造から成る複合操作型スイッチ装置の組立について説明する。先ず、スライド部材１３の環状部１３ａがスライド方向の後方側で、連結部１３ｂがスライド方向の前方側となるようにして、該スライド部材１３をベース１１の収納部１６内に配置する。
【００５５】
次いで、戻しバネ２１のリング状部２１ａを戻しバネ取付用突起部３７に係合させると共に、該戻しバネ２１の一端２１ｂを収納部１６内の側面壁１１ｂに当接させ、他端２１ｃをスライド部材１３の連結部１３ｂに掛け止めする。これにより、スライド部材１３はスライド方向の後方に移動するバネ力を戻しバネ２１から常に受け、通常はスライド方向の後方、すなわちスライド部材１３が側面壁１１ｃの切り欠き部１１ｅの内面と衝合している上記基準位置に配置された状態になる。又、収納部１６内ではスライド部材１３の第
１の摺動子片３２ａ，３２ｂ，３２ｃはベース１１側の固定接点エレメント１８ａ，１８ｂ，１８ｃとそれぞれ対応し、第２の摺動子片３３ａはベース１１側のスイッチエレメント１９ａと対応する。
【００５６】
尚、本実施例の構造では、ダイヤル部材１５及びスライド部材１３と一体にスライド操作される回転板１４の位置に対する摺動子片３４ａ〜３４ｄと各エレメント１８ａ，１８ｂ，１８ｃ，１９ａとの位置関係を図７に模式的に示しているように、第１の摺動子片３２ａ，３２ｂ，３２ｃと各エレメントの固定接点１８ａ，１８ｂ，１８ｃは、ダイヤル部材１５と共に回転板１４がスライド方向の後方位置(図７中に実線で示す位置)及び、該後方位置から距離αだけ前方にスライドされた前方位置(図７中に一点鎖線で示す位置)の、何れの位置に配置されている場合でも常に接触した状態となるように形成されている。これに対して、第２のスイッチ機能を構成している第２の摺動子片３３ａとスイッチエレメント１９ａは、ダイヤル部材１５と共に回転板１４がスライド方向の後方位置に配置されている時には互いに離れ、スライド方向の前方位置に配置されると互いに接触するように構成されている。
【００５７】
次に、回転板１４をスライド部材１３上に取り付ける。この取り付けでは、回転板１４の軸部２６をスライド部材１３の軸受孔３６内に挿入させると共に、回転板１４の節度用凹所２５，２５，２５…が形成されている周面に節度用バネ３５を当接させる。又、回転板１４がスライド部材１３上に配置されると、スライド部材１３側の弾性を有する各摺動子片３４ａ〜３４ｄの先端が、回転板１４の下面に形成されている導電パターンのスイッチエレメントに対してバネ圧接される。
【００５８】
次いで、回転板１４の上からカバー１２をベース１１に取り付けて行く。このカバー１２の取り付けでは、ベース１１の係止爪１７にカバー１２の係止片１２ｂを対応させ、該カバー１２をベース１１に向けて押し付けて行く。この押し付け操作で、各係止片１２ｂ，１２ｂ…は側面壁１１ｂ，１１ｃの外側面に沿って移動する。その途中で、各係止片１２ｂ，１２ｂ…が係止爪１７，１７…と衝合する。しかし、係止爪１７，１７…には、係止片１２ｂ，１２ｂ…の先端と衝合する面を傾斜面１７ａで形成しているので、係止片１２ｂ，１２ｂ…が係止爪１７，１７…と衝合すると、各係止片１２ｂ，１２ｂ…は自身の弾性変形特性によって傾斜面１７ａに倣って外側に撓んで逃がされる。そして、係合孔２２が係止爪１７，１７…を通過し終わると各係止片１２ｂ，１２ｂ…が弾性復帰されて、係合孔２２と係止爪１７が相互に係合され、この係合でカバー１２のベース１１からの脱落が防止される。
【００５９】
一方、カバー１２がベース１１に取り付けられるとき、該カバー１２の下側から回転板１４の軸部２８が貫通支持孔２３内に挿入されて該回転板１４の上面がカバー１２の下面に当接され、更に回転板１４の３つの突出ピン２９，２９，２９がカバー１２の上面より上側に向かって突出された状態になる。
【００６０】
続いて、ダイヤル部材１５の３つの取付孔３１，３１，３１を突出ピン２９，２９，２９に各々対応させ、該突出ピン２９，２９，２９を取付孔３１，３１，３１に挿入させる。この状態では、ダイヤル部材１５の下面がカバー１２の上面に当接されると共に、回転板１４の上面がカバー１２の下面に当接され、且つ突出ピン２９，２９，２９は凹所３０ｂ内に大きく突出されている。
【００６１】
次いで、凹所３０ｂ内に突出されている突出ピン２９，２９，２９を、該凹所３０ｂ内でカシメ加工し、突出ピン２９，２９，２９の抜け止めをする。図１はカシメ後の状態を示す。このカシメ加工によりダイヤル部材１５と回転板１４とカバー１２とが一体化され、組立が完了する。尚、ここでのカシメ加工は熱カシメあるいは冷間カシメの何れであっ
ても良い。
【００６２】
このように組み立てられた複合操作型スイッチ装置１０は、図６及び図９に示しているように、機器１のケース２内に於いて、切り欠き部１１ｅの外面１１ｆを該ケース２の内面に当接させてベース１１をケース２に対し位置決めすると、該ケース２の開口窓３からダイヤル部材１５の一部が外部に突出された状態になる。そして、この状態で図示せぬ手段によりベース１１がケース２に固定されて使用される。図９は、このようにして機器１のケース２内に複合操作型スイッチ装置１０が組み込まれた状態を示している。
【００６３】
そして、該複合操作型スイッチ装置１０は、通常は、戻しバネ２１のバネ力で、ダイヤル部材１５，回転板１４，スライド部材１３がスライド方向後端、すなわち前記基準位置に移動されている。この状態でユーザーがダイヤル部材１５に指を添えて回転させると、貫通支持孔２３と軸部２８及び軸受孔３６と軸部２８との係合支持により、回転板１４がダイヤル部材１５と共にその位置で回転する。この回転により第１の回転スイッチ機能を構成している回転板１４の裏面のスイッチエレメント２７と摺動子３４ａ〜３４ｄとの位置が切り替わり、このときの信号を摺動子片３２ａ，３２ｂ，３３ａ、固定接点エレメント１８ａ，１８ｂ，１８ｃ、外部端子２０ａ，２０ｂ，２０ｄを通して外部に取り出すことができる。又、ダイヤル部材１５が１２０度回転する毎に、節度用バネ３５の突部３５ａが回転板１４の節度用凹所２５，２５，２５…に係脱され、この係脱動作でダイヤル部材１５にクリック感として伝わり、該クリック感からユーザーはその回転操作を知ることができる。
【００６４】
又、回転による操作が終了したら、戻しバネ２１のバネ付勢に抗して、ユーザーが指でダイヤル部材１５をスライド方向の前方に押すと、貫通支持孔２３に案内されて、ダイヤル部材１５と回転板１４とスライド部材１３が一体にスライド方向の前方にスライドされて移動する。このスライド移動で第２の摺動子片３３ａがスイッチエレメント１９ａに接触し、これが第２のスライドスイッチ機能の動作信号として外部端子２０ｃを介して外部に取り出すことができる。又、ダイヤル部材１５への押圧を解くと、戻しバネ２１のバネ力で、ダイヤル部材１５と回転板１４とスライド部材１３が一体にスライド方向の後方、すなわち初期位置に自動的に戻され、第２の摺動子片３３ａとスイッチエレメント１９ａとの間の接触も解かれる。
【００６５】
このように本実施例の複合操作型スイッチ装置１０では、ダイヤル部材１５を回転させると回転板１４とスライド部材１３との間に設けられた第１のスイッチ機能が動作し、ダイヤル部材１５を図４中の矢印Ｄ方向に押すと、ダイヤル部材１５と共に回転板１４及びスライド部材１３が矢印Ｄ方向にスライド動作されて、スライド部材１３とベース１１との間に設けられた第２のスイッチ機能が動作するというように、１つのダイヤル部材１５の回転操作と押圧操作の異なる動作に応じて、それぞれ別個の回転スイッチ機能，並びにスライドスイッチ機能を動作させることができることになる。
【００６６】
従って、このように構成された複合操作型スイッチ装置１０は、上面がカバー１２で覆われるベース１１に、底面壁１１ａと側面壁１１ｂ，１１ｃとで囲まれた収納部１６を形成し、該収納部１６内にスイッチを構成するエレメント部材を配置している。従って、該複合操作型スイッチ装置１０をリフローはんだ付けする際に、ベース１１の下面にリフローはんだが触れても、ベース１１の底面及び側面にはフラックス等の侵入を許す隙間が作られていないので、リフローはんだのフラックスがスイッチ装置内部に侵入するという問題は起きない。これにより、リフローはんだ付けに適した複合操作型スイッチ装置が得られるという利点がある。
【００６７】
又、回転板１４の導電パターンに片持ち式の弾性を有する摺動子片３４ａ〜３４ｄが常
時押圧されて摺動するので、第１のスイッチＳＷ１における導電パターンと摺動子片３４ａ〜３４ｄとの間の接触が常に良好に保たれるという利点がある。
【００６８】
更に、ベース１１の固定接点エレメント１８ａ〜１８ｃに摺動子片３２ａ〜３２ｃが常時押圧されて摺動するので、固定接点エレメント１８ａ〜１８ｃと摺動子片３２ａ〜３２ｃとの間の接触が常に良好に保たれると言う利点がある。
【００６９】
そして、更にユーザーによるダイヤル部材１５に対するスライド方向の外力を解くと、戻しバネ２１のバネ力で、ダイヤル部材１５とスライド部材１３が常に初期位置に自動復帰するようにしているので、操作性の向上が期待できるという利点がある。
【００７０】
更に、又、節度用バネ３５の突部３５ａが回転板１４の節度用凹所２５，２５，…と係脱することによりクリック感を生起するようになっているので、ユーザーはダイヤル部材１５の回動量を該クリック感で容易に認識することができ、操作性の向上が期待できるという利点がある。
【００７１】
又、節度用バネ３５の突部３５ａの外形形状を回転板１４の節度用凹所２５，２５，…の内側形状に略等しく形成し、突部３５と節度用凹所２５，２５，…との間に遊びを持たずに略密着係合可能に構成しているので、回転板１４の節度用凹所２５，２５，…内に節度用バネ３５の突部３５ａが係合された節度感が得られた位置で回転板１４を停止させておくと、該停止させた位置に於いて回転方向のガタツキを無くした状態で回転板１４とダイヤル部材１５を保持しておくことができるという利点がある。
【００７２】
更に、カバー１２に於ける係止片１２ｂをベース１１の両側面に沿って摺動させて行くと、係止片１２の係合孔２２とベースの係止爪１７が相互に係合され、該係合によりカバー１２をベース１１に抜け止めした状態にして簡単に取り付けることができるので、組立作業が簡略化できるという利点がある。
【００７３】
又、更にカバー１２の内側から貫通支持孔２３を通して該カバー１２の外側に回転板１４の突出ピン２９を突き出させ、該突き出した突出ピン２９をダイヤル部材１５の取付孔３１に挿入させ、該取付孔３１を貫通した突出ピン２９をダイヤル部材１５の外側でカシメることによって、カバー１２を間に挟んでダイヤル部材１５と回転板１４とを回転並びにスライド移動可能に一体に係合させることができるので、組立作業が簡略化できるという利点がある。
【００７４】
更に、回転板１４の両側が、カバー１２の貫通支持孔２３とスライド部材１３の軸受穴３６で支持されるので、回転板１４及び該回転板１４と結合されたダイヤル部材１５が安定して保持されるという利点がある。
【００７５】
又、スライド部材１３のスライド方向後端となる基準位置に隣接して設けられているベース１１(収納部１６)に於ける側面壁１１ｃに、ダイヤル部材１５の押し方向に対して直交する方向に切り欠き部１１ｅを設け、側面壁１１ｃの外面１１ｆをダイヤル部材１５の中心側に近づけた構造にしているので、側面壁１１ｃの外面１１ｆがダイヤル部材１５の中心側に近づいている分だけ、ダイヤル部材１５の外周がベース１１の側面壁１１ｃ(切り欠き部１１ｅ)の外面１１ｆよりも外側に大きく突出される。従って、側面壁１１ｃの外面１１ｆを基準にしてこの複合操作型スイッチ装置１０を機器１の内部に取り付ける場合、切り欠き部１１ｅで側面壁１１ｃの頂点を切り欠いている分だけ複合操作型スイッチ装置１０の全体が機器１の外側に寄せられ、これによってダイヤル部材１５の位置を外側に配置させることができる。こうして、複合操作型スイッチ装置１０の全体を機器１の外側に寄せることができることによって、ダイヤル部材１５が機器１から外側に大きく突出
されて指等で操作のし易い構造、若しくはダイヤル部材１５の外径を小さくして複合操作型スイッチ装置１０を小型化し、デザインの向上を図ることが可能になる
【００７６】
即ち、図６を用いて説明すると、図６中に二点鎖線で示す側面壁１１ｃのように切り欠き部を設けていない構造では、側面壁１１ｃの頂点は切り欠き部１１ｅを設けている本実施例の構造の側面壁１１ｃよりも距離Ｓだけ大きくなる。従って、側面壁１１ｃの外面を基準にして複合操作型スイッチ装置１０を機器１のケース２内部に取り付けるようにした場合、切り欠き部を設けていない構造では、ダイヤル部材１５の外径を距離Ｓの分だけ大きくする必要がある。しかし、切り欠き部１１ｅを設けている本実施例の構造では、切り欠いている長さ分(距離Ｓ)だけ装置全体を外側に寄せることができるので、ダイヤル部材１５の外径を大きくしなくてもダイヤル部材１５による押し込み操作時に於けるストロークを確保することができる。これにより、ダイヤル部材１５の小型化と同時に、装置全体の小型化が可能になり、デザイン的にも寄与することが可能になる。
【００７７】
尚、本実施例では、スライド部材１３側に摺動子片３２ａ〜３２ｃ，３３ａ，３４ａ〜３４ｄを設け、回転板１４及びベース１１側に導電パターンを設けた構造を開示したが、逆にスライド部材１３側に導電パターンを設け、回転板１４及びベース１１側に摺動子片を設けた構造にすることも可能である。然るときも、スライド部材１３側に摺動子片３２ａ〜３２ｃ，３３ａ，３４ａ〜３４ｄを設け、回転板１４及びベース側に導電パターンを設けた構造の場合と同じ効果が得られる。
【００７８】
又、本発明は、本発明の精神を逸脱しない限り種々の改変を為すことができ、そして、本発明が該改変されたものに及ぶことは当然である。
【図面の簡単な説明】
【００７９】
【図１】本発明の実施例１に係る複合操作型スイッチ装置の縦断面図。
【図２】本実施例に係る複合操作型スイッチ装置の内部構造を示す平面図。
【図３】本実施例に係る複合操作型スイッチ装置の要部分解斜視図。
【図４】本実施例に係る複合操作型スイッチ装置の正面図。
【図５】本実施例に係る複合操作型スイッチ装置の側面図。
【図６】本実施例に係る複合操作型スイッチ装置の背面図。
【図７】本実施例に係る複合操作型スイッチ装置の動作説明図。
【図８】本実施例に係る複合操作型スイッチ装置の節度用バネの機能説明図。
【図９】本実施例に係る複合操作型スイッチ装置を使用した機器の要部斜視図。
【符号の説明】
【００８０】
１        機器
２        ケース
３        開口窓
１０      複合操作型スイッチ装置
１１      ベース
１１ａ    底面壁
１１ｂ    側面壁
１１ｃ    側面壁  
１１ｅ    切り欠き部
１１ｆ    切り欠き部の外面
１２      カバー
１２ａ    本体部
１２ｂ    係止片
１３      スライド部材
１４      回転板
１５      ダイヤル部材
１６      収納部
１７      係止爪
１８ａ，１８ｂ，１８ｃ  固定接点エレメント
１９ａ    スイッチエレメント
２０ａ〜２０ｄ  外部端子
２１      戻しバネ
２２      係合孔
２３      貫通支持孔
２４      導電パターン
２５      節度用凹所
２６      軸部
２７      スイッチエレメント
２８      軸部
２９      突出ピン
３１      取付孔
３２ａ，３２ｂ，３２ｃ  第１の摺動子片
３３ａ    摺動子片  
３４ａ，３４ｂ，３４ｃ，３４ｄ  第２の摺動子片  
３５      節度用バネ
３５ａ    突部
３６      軸受孔
３７      戻しバネ取付用突起部
５０      中央突起
【図１】
2005129477.tif 000003
【図２】
2005129477.tif 000004
【図３】
2005129477.tif 000005
【図４】
2005129477.tif 000006
【図５】
2005129477.tif 000007
【図６】
2005129477.tif 000008
【図７】
2005129477.tif 000009
【図８】
2005129477.tif 000010
【図９】
2005129477.tif 000011